(57)【要約】【課題】トコジラミ等の害虫を誘引する携行性に優れた装置を提供する【解決手段】  ３本の炭酸ガスカートリッジ５ａ〜５ｃの吐出口には、減圧弁６ａ〜６ｃ、逆止弁７ａ〜７ｃ、配管１４ａ〜１４ｃ、配管集束部９を介して電磁弁１０が接続され、電磁弁１０の放出口には、流量調整部１１、配管１６を介して炭酸ガスを放出するためのノズル１２が接続されている。  携行ケース１をトコジラミを誘引すべき部屋に運び込み、タイマ部８ｅによる開始時刻及び終了時刻をタイマ操作部を用いて入力し、起動時間を設定する。タイマ部８ｅの作動に連動して、オンオフスイッチ８ｄがオフからオンに切換わり、オンの状態において、炭酸ガスがノズル１２を介して部屋内に放出される。  放出された炭酸ガスに誘引されて、部屋内のトコジラミが現われるので、捕獲したり、所定時間後に害虫ガス誘引装置の周囲に集まったトコジラミを計数する。【選択図】図４
2015080451.tif 000002
【特許請求の範囲】
【請求項１】
携行ケース内に収納した複数本の小型の炭酸ガスカートリッジを備え、これらの各炭酸ガスカートリッジに減圧弁を取り付け、これらの減圧弁には逆止弁、配管を介して配管集束部を経て電磁弁を接続し、タイマ部を有する電源制御部により前記電磁弁を所定時間開状態にすることで、前記電磁弁に接続したノズルから所定量の炭酸ガスを放出することを特徴とする害虫ガス誘引装置。
【請求項２】
前記ノズルと接続する前記電磁弁の放出口には、炭酸ガスの流量を調整する流量調整部を設けたことを特徴とする請求項１に記載の害虫ガス誘引装置。
【請求項３】
前記電源制御部は交流電源又はバッテリにより駆動することを特徴とする請求項１又は２に記載の害虫ガス誘引装置。
【請求項４】
前記炭酸ガスカートリッジは交換可能としたことを特徴とする請求項１〜３の何れか１つの請求項に記載の害虫ガス誘引装置。
【発明の詳細な説明】
【技術分野】
【０００１】
本発明は、部屋内の例えば南京虫（以下トコジラミと云う）等の害虫を誘引するための害虫ガス誘引装置に関するものである。
【背景技術】
【０００２】
近年、旅館やホテル等でトコジラミ等の害虫による被害が増加しており、室内でのトコジラミの有無や固体数等の生態調査のために、ドライアイスにより人の呼気を模す炭酸ガスを発生させてトコジラミを誘引することがある。
【０００３】
また、特許文献１には、炭酸ガスボンベを用いて炭酸ガスを放出して害虫を誘引して捕獲する虫類捕獲装置が開示されている。
【０００４】
このように、炭酸ガスを放出することにより、トコジラミ等の害虫を誘引して生態調査を行ったり、捕獲装置により捕獲することが行われている。
【先行技術文献】
【特許文献】
【０００５】
【特許文献１】特開２００７−２０５０９号公報
【発明の概要】
【発明が解決しようとする課題】
【０００６】
しかし、ドライアイスを用いる方法においては、炭酸ガスを発生させる際には、その場に人がいる必要があったり、炭酸ガスの放出量や放出時間を調整することが難しい。炭酸ガスの放出量や放出時間を一定としないと、誘引されたトコジラミの数に影響を及ぼし、調査に際して信頼性のあるデータとはならない。
【０００７】
また、特許文献１に示すような炭酸ガスボンベを用いて害虫を誘引し捕獲する装置は、大型であるため、屋外や、大きな部屋で大量に害虫を誘引する際には用いることができるが、携行性に劣るため、旅館、ホテルの部屋毎での調査等においては極めて使い勝手が悪い。
【０００８】
本発明の目的は、上述の課題を解消し、携行性に優れ、生態調査や捕獲のためにトコジラミ等の害虫を、炭酸ガスを用いて誘引する害虫ガス誘引装置を提供することにある。
【課題を解決するための手段】
【０００９】
上記目的を達成するための本発明に係る害虫ガス誘引装置は、携行ケース内に収納した複数本の小型の炭酸ガスカートリッジを備え、これらの各炭酸ガスカートリッジに減圧弁を取り付け、これらの減圧弁には逆止弁、配管を介して配管集束部を経て電磁弁を接続し、タイマ部を有する電源制御部により前記電磁弁を所定時間開状態にすることで、前記電磁弁に接続したノズルから所定量の炭酸ガスを放出することを特徴とする。
【発明の効果】
【００１０】
本発明に係る害虫ガス誘引装置は、所定量の炭酸ガスを所定時間放出することができ、携行ケース内にコンパクトにまとめられているので、小さな場所に運搬して、簡便に害虫を誘引することができる。
【００１１】
また、流量調整部による流量、タイマ部による起動時間、放出量及び使用する炭酸ガスのカートリッジの本数を適宜に組み合わせることで、炭酸ガスの放出量、放出時間をきめ細かくかつ広範囲に設定することができる。
【図面の簡単な説明】
【００１２】
【図１】害虫ガス誘引装置の蓋部を開いた状態の平面図である。
【図２】図１のＡ−Ａ線に沿った断面図である。
【図３】図１のＢ−Ｂ線に沿った断面図である。
【図４】各機材の連結状態の構成図である。
【発明を実施するための形態】
【００１３】
本発明を図示の実施例に基づいて詳細に説明する。
図１は害虫ガス誘引装置の平面図、図２は図１のＡ−Ａ線に沿った断面図、図３はＢ−Ｂ線に沿った断面図である。
【００１４】
害虫ガス誘引装置の外側は携行ケース１であり、携行ケース１の大きさは例えば長さ３３０ｍｍ、幅１４０ｍｍ、高さ１６０ｍｍの箱体であり、ケース本体２には開閉自在の蓋部３が設けられ、蓋部３上には手で持って運搬するための把手４が設けられている。
【００１５】
ケース本体２内には、圧縮炭酸ガスが充填された容積が１００ｃｃ程度の例えば３本の小型の炭酸ガスカートリッジ５ａ〜５ｃが個々に交換可能に横方向に向けられて立体的に固定されている。更に、ケース本体２内には減圧弁６ａ〜６ｃ、逆止弁７ａ〜７ｃ、電源制御部８、及び図示しない配管集束部９、電磁弁１０、流量調整部１１、ノズル１２、電源コード１３がコンパクトに収納されている。
【００１６】
図４はケース本体２内の各機材の連結状態の構成図を示している。３本の炭酸ガスカートリッジ５ａ〜５ｃの吐出口には、それぞれ減圧弁６ａ〜６ｃが取り付けられ、これらの減圧弁６ａ〜６ｃは逆止弁７ａ〜７ｃ及び減圧弁配管１４ａ〜１４ｃを介して配管集束部９に接続され、更に配管１５を介して電磁弁１０に接続されている。
【００１７】
また、電磁弁１０の放出口には、炭酸ガスの流量を調整する流量調整部１１が設けられ、流量調整部１１には配管１６を介して炭酸ガスを放出するためのノズル１２が接続されている。流量調整部１１は微小孔のオリフィス部品から成り、このオリフィス部品の孔径を変えることで任意の流量を調整することが可能とされている。
【００１８】
また、電源制御部８は、ＡＣ電源をＤＣに変換するＡＣ／ＤＣ変換部８ａと、乾電池等のバッテリ部８ｂと、ＡＣ／ＤＣ変換部８ａとバッテリ部８ｂとの接続を切換える切換部８ｃと、オンオフスイッチ８ｄと、タイマ部８ｅとから構成され、電源制御部８のＡＣ／ＤＣ変換部８ａには電源コード１３が接続されている。
【００１９】
実施例では、電源コード１３とバッテリ部８ｂの双方を備える構成としているが、何れか一方を備える構成としてもよく、この場合は切換部８ｃは不要となる。
【００２０】
また、タイマ部８ｅは所定時間の起動時間を設定し、その時間が経過すると接続を解除、つまり電力供給を遮断する型式のものや、開始時刻、終了時刻から成る起動時間を設定し、開始時刻、終了時刻内の時間のみ電力供給を行う型式のもの等を適宜に採用することが可能である。更に、タイマ部８ｅにプログラムタイマを使用することにより、起動時間内の炭酸ガスの放出を間欠的に制御して、平均放出流量を調整することができる。
【００２１】
使用に際しては、携行ケース１をトコジラミを誘引すべき部屋に運び込み、蓋部３を開けて、電源コード１３を部屋の１００Ｖ交流電源コンセントに接続する。部屋に電源コンセントがない場合は、バッテリ部８ｂに切換えて駆動する。
【００２２】
タイマ部８ｅによるオンオフスイッチ８ｄをオン状態とする開始時刻、及びオフ状態とする終了時刻を、電源制御部８の図示しないタイマ操作部を用いて入力し、起動時間を設定する。トコジラミは暗くなると活動するため、日中に炭酸ガスを放出しても十分な生態を調査することができない。そこで、タイマ部８ｅを用いて炭酸ガスを放出する時間が主に夜間になるように起動時間を設定する。
【００２３】
タイマ部８ｅの作動に連動して、オンオフスイッチ８ｄがオフからオンに切換わる。電磁弁１０は所定時間の電力供給時に開状態となり、電力未供給時に閉状態となるので、オンオフスイッチ８ｄがオンの状態であれば、炭酸ガスカートリッジ５ａ〜５ｃ内の炭酸ガスがノズル１２を介して部屋内に放出される。
【００２４】
使用中における炭酸ガスカートリッジ５ａ〜５ｃの内圧は、ほぼ一定なので減圧弁６ａ〜６ｃの所定の開度により放出量を一定とすることができる。しかし、炭酸ガスカートリッジ５ａ〜５ｃ内の圧力が減少してくると放出量の変化が生ずるので、炭酸ガスカートリッジ５ａ〜５ｃは新たなものに交換することが好ましい。
【００２５】
また、減圧弁６ａ〜６ｃと減圧弁配管１４ａ〜１４ｃ間に逆止弁７ａ〜７ｃを設けることで、炭酸ガスカートリッジ５ａ〜５ｃを適宜に選択、取り外すことができ、炭酸ガスの放出量を調整することが可能である。更に、炭酸ガスカートリッジ５ａ〜５ｃ、減圧弁６ａ〜６ｃ等の不具合により、何れかの炭酸ガスカートリッジ５ａ〜５ｃが使用不可能となったとしても、逆止弁７ａ〜７ｃにより炭酸ガスカートリッジ５ａ〜５ｃの炭酸ガスが減圧弁配管１４ａ〜１４ｃを逆流することはない。
【００２６】
流量調整部１１の流量、タイマ部８ｅの起動時間、及び使用する炭酸ガスのカートリッジ５ａ〜５ｃの本数を適宜に組み合わせることで、炭酸ガスの放出量、放出時間を細かく広範囲に設定することができ、使用個所における所定量の炭酸ガスを放出することが可能となる。
【００２７】
これらの設定により、部屋毎の誘引条件を同じにすることができるので、誘引されるトコジラミの数について信頼できるデータを得ることができる。ノズル１２から放出された炭酸ガスに誘引されて、部屋内のトコジラミが現われるので、捕獲したり、所定時間後に害虫ガス誘引装置の周囲に集まったトコジラミを計数することにより、生態調査を行うことができる。
【産業上の利用可能性】
【００２８】
なお、実施例においては、トコジラミを誘引する場合について説明したが、トコジラミ以外にも、蚊等の炭酸ガスに反応する害虫、昆虫等を誘引することもできる。しかし、このような羽根を持つ害虫や昆虫は一旦集まっても、飛び去ってしまうことも考えられるので、捕獲器を害虫ガス誘引装置の周辺に配置することで、生態調査を行えばよい。
【００２９】
また、生態調査以外にも、捕獲器を別体で配置して、害虫駆除に利用することもできる。
【符号の説明】
【００３０】
１  携行ケース
２  ケース本体
３  蓋部
５ａ〜５ｃ  炭酸ガスカートリッジ
６ａ〜６ｃ  減圧弁
７ａ〜７ｃ  逆止弁
８  電源制御部
８ｅ  タイマ部
９  配管集束部
１０  電磁弁
１１  流量調整部
１２  ノズル
１３  電源コード
【図１】
2015080451.tif 000003
【図２】
2015080451.tif 000004
【図３】
2015080451.tif 000005
【図４】
2015080451.tif 000006